(57)【要約】      （修正有）【課題】下水から流れる悪臭の防止と害虫の侵入を防止できるとともに廉価に製作できる逆止弁及び床排水トラップを提供する。【解決手段】逆止弁１０は、主管体１１と、弁部１２を備えて構成する。弁部１２は、主管体１１の傾斜面部１１１に対向する本体部と、水平面部１１２に形成する溝部１１に挿入する折返し部とから構成する。折返し部を、本体部から連接して少なくとも二重に形成する。弁部１２を主管体１１に取り付けた状態で、本体部は折返し部に対して開弁した後、自らの弾性により閉弁する。主管体１１の主管本体１１ａにおける傾斜面部１１１の反対側には、床排水トラップの内壁にする装着端面１３１を有するとともにワン形トラップを支持する支持端面１３２を備える装着部１３を形成する。【選択図】図１
0003155258.tif 000002
【実用新案登録請求の範囲】
【請求項１】
管体の一方の面には、先端側から元部側に向かって管軸に対して斜め方向に切断した傾斜面部が形成され、前記傾斜面部の元部側には前記傾斜面部より先端側に突出した突出部が形成され、
前記突出部における、前記傾斜面部からの延長線上には、前記傾斜面部から先端側に屈曲する溝部が形成され、
前記傾斜面部に対向する位置に、前記管体を塞ぐ薄板状の可撓性弁部材の弁本体部が配設され、前記可撓性弁部材の一端には、前記弁本体部から連接されるとともに折り返して少なくとも二重に形成された折り返し部が配設され、
前記可撓性弁部材が、前記折り返し部を前記溝部内に挿入するとともに、前記弁本体部と前記折返し部の境を中心にして、前記傾斜面部に対して前記弁本体部を開閉可能に配設し、
前記管体と前記可撓性弁部材とで構成されることを特徴とする逆止弁。
【請求項２】
前記管体の他方の面は管軸と直交する平面に形成されるとともに、前記管体には、被装着部に装着される装着面が管軸に直交する平面状に形成されていることを特徴とする請求項１記載の逆止弁。
【請求項３】
前記可撓性弁部材は、前記傾斜面部と前記突出部との境目付近において、前記管体に熱溶着して固着されていることを特徴とする請求項１又は２記載の逆止弁。
【請求項４】
施設内の床排水用として設置される筒状の桝本体と、前記桝本体の下流側に配設される排水管と、前記桝本体内に配設されて排水を前記排水管側に流通させる逆止弁と、前記逆止弁を、上流側から押圧するワン形トラップとを備える床排水トラップであって、
前記逆止弁が、
管体の一方の面に、先端側から元部側に向かって管軸に対して斜め方向に切断した傾斜面部を形成するとともに、前記傾斜面部の元部側には前記傾斜面部より先端側に突出した突出部を形成し、
前記突出部における、前記傾斜面部からの延長線上に、前記傾斜面部から先端側に屈曲する溝部を形成し、
前記傾斜面部に対向する位置に、前記管体を塞ぐ薄板状の可撓性弁部材の弁本体部を配設するとともに、前記可撓性弁部材の一端には、前記弁本体部から連接するとともに折り返して少なくとも二重に形成された折り返し部を配設し、
前記可撓性弁部材が、前記折り返し部を前記溝部内に挿入するとともに、前記弁本体部と前記折返し部の境を中心にして、前記傾斜面部に対して前記弁本体部を開閉可能に配設して、
前記桝本体に装着可能に構成されていることを特徴とする床排水トラップ。
【請求項５】
前記管体の他方の面には、前記ワン形トラップを支持する支持面が形成されるとともに、前記支持面と前記傾斜面部との間には、前記桝本体に装着される装着面が形成されていることを特徴とする請求項４記載の床排水トラップ。
【請求項６】
前記装着面には、前記桝本体との間にシール剤が塗布されていることを特徴とする請求項５記載の床排水トラップ。
【請求項７】
前記逆止弁は、前記傾斜面部と前記突出部との境目付近において、前記管体に熱溶着されていることを特徴とする請求項４，５又は６のいずれかに記載の床排水トラップ。
【考案の詳細な説明】
【技術分野】
【０００１】
本考案は、施設内のトイレや風呂場あるいは洗面場に設置された床排水トラップに関し、さらに、床排水トラップに装着される逆止弁に関する。
【背景技術】
【０００２】
従来、施設内に設置された床排水トラップ５０は、図８（ａ）に示すように、鋳物で形成されたトラップ本体５１と、トラップ本体５１の上部から挿入する調節管５２と、調節管５２に支持される目皿５３と、を備えて構成されていた。目皿５３には、水を流すための挿通溝５３１が多数形成されていた。トラップ本体５１の下部には、床排水管５５が配管され、トラップ本体５１の内部には上面が開口された管状のトラップ部５１１が形成されていた。トラップ部５１１の上面には、複数に形成されたリブ５６１を当接させたワントラップ５６が配置されていた。ワントラップ５６は、鋳物で形成されてお碗形に形成され、開口された部位を下方にしてトラップ部５１１に上方から挿入したものである。このワントラップ５６を挿入することにより、トラップ本体５１内でトラップが形成されることとなって、下水管から流れてくる悪臭の防止や害虫の侵入防止がなされていた。この床排水トラップ５０を設置している床の清掃は、毎日、タイル床面に水を流して、汚れたものを目皿５３から床排水管５５に流すことによって行われていた。また、給水配管の破損や老朽化による漏水、又は器具排水のつまりによるオーバー水等が発生する場合においても、オーバー水は、床排水トラップ５０の目皿５３から床排水管５５に流れることとなっていた。
【０００３】
しかし近年、床面の水洗いをやめてモップ等による拭き取り清掃が主流となってくると床排水トラップ５０においては、床面に水を流すのではなくモップ等で拭き取るようになってきた。図８（ｂ）に示すように、床排水トラップの上部には掃兼ドレン６０が取付けられ、挿通溝６１１を形成する目皿６１の上方に挿通溝を塞ぐ蓋６２が装着されることとなってきた。掃兼ドレン６０は、常時においては、下水から流れてくる悪臭の防止や害虫の侵入を防止するために、蓋６２を閉めて使用し、床の水洗い時や、漏水時には、掃兼ドレン６０を床排水トラップ５０から外して使用することとなっていた。しかし、給水配管の老朽化による破損漏水や器具排水のつまりにより発生するオーバー水は、器具の取扱いを熟知した人がいなければ、掃兼ドレン６０を外すことはできないことから、オーバー水による下層階への漏水被害等が発生していた。このことから、さらに改良された従来の床排水では、特許文献１に示すように、排水路に逆止弁を装着することにより、下水管から流れてくる悪臭の防止や害虫の侵入の防止を図ることができるようにしていた。
【０００４】
この排水トラップには、トラップ本体内に弁トラップユニットが配置されている。弁トラップユニットには、傾斜して開口された管体の先端部に揺動弁体が開閉可能に装着されている。揺動弁体は、排水時において排水の圧力で開口するとともに、排水されていないときには、弁体を閉鎖方向に付勢するバランスウエイトにより排水管を閉鎖していた。これにより、下水管から流れてくる悪臭の防止や、害虫の侵入防止を行うことができていた。
【先行技術文献】
【特許文献】
【０００５】
【特許文献１】特開２０００−８４３９公報
【考案の概要】
【考案が解決しようとする課題】
【０００６】
しかし、揺動弁体の封鎖方向への付勢をバランスウエイトで行うため、バランスウエイトを管体の先端に装着することとなって、複雑な構成となるとともに弁トラップユニットのコストを高くすることとなっていた。さらに、バランスウエイトは、長期間の使用により管体内面の錆によって作動不良となる虞もあった。
【課題を解決するための手段】
【０００７】
本考案は、上述の課題を解決するものであり、シンプルな構造でコストを廉価に構成する逆止弁を提供することを目的とするものである。すなわち、
請求項１記載の考案の逆止弁は、管体の一方の面には、先端側から元部側に向かって管軸に対して斜め方向に切断した傾斜面部が形成され、前記傾斜面部の元部側には前記傾斜面部より先端側に突出した突出部が形成され、前記突出部における、前記傾斜面部からの延長線上には、前記傾斜面部から先端側に屈曲する溝部が形成され、前記傾斜面部に対向する位置に、前記管体を塞ぐ薄板状の可撓性弁部材の弁本体部が配設され、前記可撓性弁部材の一端には、前記弁本体部から連接されるとともに折り返して少なくとも二重に形成された折り返し部が配設され、前記可撓性弁部材が、前記折り返し部を前記溝部内に挿入するとともに、前記弁本体部と前記折返し部の境を中心にして、前記傾斜面部に対して前記弁本体部を開閉可能に配設し、前記管体と前記可撓性弁部材とで構成されることを特徴とするものである。
【０００８】
請求項２記載の考案は、請求項１の考案に係るものであって、前記管体の他方の面は管軸と直交する平面に形成されるとともに、前記管体には、被装着部に装着される装着面が管軸に直交する平面状に形成されていることを特徴としている。
【０００９】
請求項３記載の考案は、請求項１又は２の考案に係るものであって、前記逆止弁は、前記傾斜面部と前記突出部との境目付近において、前記管体に熱溶着されていることを特徴としている。
【００１０】
請求項４に記載の考案は、施設内の床排水用として設置される筒状の桝本体と、前記桝本体の下流側に配設される排水管と、前記桝本体内に配設されて排水を前記排水管側に流通させる逆止弁と、前記逆止弁を、上流側から押圧するワン形トラップとを備える床排水トラップであって、前記逆止弁が、管体の一方の面に、先端側から元部側に向かって管軸に対して斜め方向に切断した傾斜面部を形成するとともに、前記傾斜面部の元部側には前記傾斜面部より先端側に突出した突出部を形成し、前記突出部における、前記傾斜面部からの延長線上に、前記傾斜面部から先端側に屈曲する溝部を形成し、
前記傾斜面部に対向する位置に、前記管体を塞ぐ薄板状の可撓性弁部材の弁本体部を配設するとともに、前記可撓性弁部材の一端には、前記弁本体部から連接するとともに折り返して少なくとも二重に形成された折り返し部を配設し、前記可撓性弁部材が、前記折り返し部を前記溝部内に挿入するとともに、前記弁本体部と前記折返し部の境を中心にして、前記傾斜面部に対して前記弁本体部を開閉可能に配設して、前記桝本体に装着可能に構成されていることを特徴とするものである。
【００１１】
請求項５記載の考案は、請求項３に係る考案であって、前記管体の他方の面には、前記ワン形トラップを支持する支持面が形成されるとともに、前記支持面と前記傾斜面部との間には、前記桝本体に装着される装着面が形成されていることを特徴としている。
【００１２】
請求項６記載の考案は、請求項４又は５記載の考案であって、前記装着面には、前記桝本体との間にシール剤が塗布されていることを特徴としている。
【００１３】
請求項７記載の考案は、請求項４，５又は６のいずれかの考案に係るものであって、前記逆止弁は、前記傾斜面部と前記突出部の境目付近において、前記管体に熱溶着されていることを特徴としている。
【考案の効果】
【００１４】
請求項１記載の考案によれば、逆止弁には、管体の先端に形成された傾斜面部に薄板状の可撓性弁部材が配設されている。さらに管体の先端には傾斜面部より先端側に突出した突出部における傾斜面部から延長された部位に溝が形成されている。可撓性弁部材は、傾斜面部を開閉する弁本体部と、溝部内に挿入されるとともに弁本体部から連接されて少なくとも二重に折り返された折返し部とから形成されている。また、溝部は、傾斜面部から突出部側に屈曲されているから、可撓性弁部材は、弁本体部を、弁本体部と折返し部との間の境を支点にして揺動可能とすることができ、傾斜面部に対して開閉可能に形成することができる。つまり、逆止弁は、管体と可撓性部材で構成され、可撓性弁部材を、傾斜面部に密着させた状態で、例えば、管体内を流れる流体で、傾斜面部から離隔する方向に移動させて開状態にした後、流体の流れを停止させることにより、可撓性弁部材自体の復帰力で傾斜面部に接近するように復帰する。そのため、１枚の可撓性弁部材を管体に装着するだけで開閉を行うことができることから、シンプルな構造で廉価なコストで構成することが可能となる。
【００１５】
請求項２の考案によれば、管体には、被装着部に装着される装着面と、端面を水平面に形成しているから、本考案の逆止弁を、例えば、排水流路内に装着して排水を一方向に流すことができる。
【００１６】
また、請求項３の考案によれば、可撓性弁部材の折返し部が溝部内に挿入されて固着されていることに加えて、管体と可撓性弁部材とは、傾斜面部と突出部との境目付近において、熱溶着されているから、可撓性弁部材は、管体に確実に固着されることとなる。
【００１７】
請求項４の考案の床排水トラップによれば、請求項１の構成の逆止弁を床排水トラップ内に装着することにより、排水時に、逆止弁を開いて排水を排水管に流すことができ、排水の停止状態の際に、可撓性弁部材自体の付勢で復帰することにより逆止弁を閉じることができるから、下水管から流れてくる悪臭や害虫の侵入を可撓性弁部材で防止することができる。本考案の逆止弁は、１枚の可撓性弁部材の一部を折り返すことによって形成された折返し部を、管体の溝部内に挿入して構成されているものであるから、シンプルな構成で廉価なコストで提供することができる。したがって、逆止弁を床排水トラップに装着する際にも、短時間で簡単に取付けることができる。
【００１８】
請求項５の構成によれば、逆止弁の装着面を桝本体内に装着し、支持面にワン形トラップを支持させることによって、桝本体部内に逆止弁で構成されたトラップを形成することができ、逆止弁で排水を流すとともに、下水管から流れてくる悪臭の防止や、害虫の侵入の防止を図ることができる。
【００１９】
請求項６の構成によれば、管体に嵌合する記支持管体の先端にシール剤を塗布しているから、床排水トラップにおける逆止弁の周りには、下水管から悪臭が流れることや、害虫が侵入することもない。
【００２０】
請求項７の構成によれば、可撓性弁部材の折返し部が溝部内に挿入されて固着されていることに加えて、管体と可撓性弁部材とは、傾斜面部と突出部との境目付近において、熱溶着されているから、逆止弁は、管体に確実に固着されることとなる。
【図面の簡単な説明】
【００２１】
【図１】本願考案による逆止弁の断面図である。
【図２】図１における逆支弁トラップユニットの分解断面図である。
【図３】図１における弁部の拡大図である。
【図４】図２の正面図である。
【図５】逆止弁の別の形態を示す断面図である。
【図６】図１の逆止弁を組み込んだ床排水トラップを示す断面図である。
【図７】逆止弁のさらに別の形態を示す断面図である。
【図８】従来の床排水トラップを示す断面図である。
【考案を実施するための形態】
【００２２】
次に、本考案における逆止弁及び逆止弁を使用する床排水トラップの実施形態を図面に基づいて説明する。図１は、逆止弁１０を示す断面図であり、図２はその分解断面図である。逆止弁１０は、先端を傾斜面部１１１に形成した主管体１１と主管体１１の傾斜面部１１１に密着して装着された可撓性弁部材（以下、弁部という）１２とから構成されている。
【００２３】
主管体１１は塩化ビニル製の管体で形成されるとともに、主管体１１の先端面において、傾斜面部１１１は先端側から元部端側に向かって下傾して形成され、元部側においては、傾斜面部１１１に対して管軸に直交する突出部１１２が形成されている。この突出部１１２は、主管体１１の元部側において、傾斜面部１１１より先端側に向かって突出して形成されていれば、管軸に直交する水平面でなくてもよく、傾斜して形成されていたり、また山状に形成されていたり等の盛り上がったものでもよい。実施形態では、水平面部１１２として以下説明する。
【００２４】
水平面部１１２における傾斜面部１１１との間には、傾斜面部１１１から延設された溝部１１３が、傾斜面部１１１から水平面部１１２の表面側に向かって屈曲する方向に形成されている。溝部１１３は、傾斜面部１１１から円弧状に連接された状態で形成されるとともに、後述の弁部１２の一端を挿入して止着できる程度の厚みと深さを有して形成されている。傾斜面部１１１に密着して装着される弁部１２は、薄板状の可撓性部材で形成され、主管体１１の傾斜面部１１１に密着する本体部１２１と、本体部１２１の一端で主管体１１に形成された溝部１１３に挿入可能な折返し部１２２とから形成されている。
【００２５】
図３に示すように、折返し部１２２は、実施形態では、本体部１２１から延長されて溝部１１３内に挿入された弁部１２の一端が折り返されて二重にあるいは三重となって形成されている。そのため、溝部１１３内では、二重あるいは三重に折り返された弁部１２の厚みで圧入された状態となって水平面部１１２で固着されている。溝部１１３内で固着された弁部１２は、本体部１２１と折返し部１２２との境で屈曲可能に形成される。つまり、例えば、弁部１２に流体が流れると本体部１２１は折返し部１２２に対して、屈曲して、本体部１２１を主管体１１の傾斜面部１１１から離隔する方向に開き、流体の流れが停止すると、本体部１２１は傾斜面部１１１に接近する方向に復帰する。
【００２６】
弁部１２は、実施形態では、例えば、薄板状のポリプロピレンで形成されたプラスチック製であり、一部を保持して他部に負荷をかけることにより弾性的に変形できる性質を有している。つまり、折返し部１２２を保持して本体部１２１を本体部１２１の面に直交する方向に押圧することにより、折返し部１２２に対して本体部１２１が屈曲し、押圧解除することにより弾性復帰できる性質を有しているものである。なお、弁部１２は、上述と同様の性質を有するものであればプラスチック製ではなく、ゴム製等の樹脂材であってもよい。
【００２７】
図３〜４に示すように、弁部１２を主管体１１に装着する際、主管体１１の前記傾斜面部１１１と水平面部１１２との境目付近、つまり、弁部１２における本体部１２１と折返し部１２２との境目付近で、主管体１１の２箇所の位置でスポット的に熱溶着部１２３を形成すれば、弁部１２を、主管体１１から抜くことができずに確実に固定することができる。
【００２８】
図１に示すように、主管体１１における傾斜面部１１１の反対側の部位には、傾斜面部１１１を形成する主管本体１１ａより拡径筒状に形成された支持管体としての装着部１３が形成されている。装着部１３は、主管本体１１ａに連接される側の装着端面１３１と、主管体１１の端面となる側に形成される支持端面１３２とを備えている。装着端面１３１は、逆止弁１０を装着する部位、例えば、後述の床排水トラップ１に取り付けるための面を形成するものであり、支持端面１３２は、装着された逆止弁１０に、逆止弁１０を固定させるもの、例えば、後述のワン形トラップ７を支持させるために形成したものである。
【００２９】
逆止弁１０の内周面、つまり、装着部１３の支持端面１３２の内周面には、排水を通り易くするためのテーパ面１３２ａが形成され、縮径された主管本体１１ａの内周端面にはテーパ面１１ｂが形成されている。
【００３０】
なお、装着部１３は、製作上、主管本体１１ａと別部材を組付けて形成してもよい。例えば、図５に示すように、主管本体１１ａより大形筒状のカラー部材１５を外嵌させて、さらにカラー部材１５より大径筒状の保持管部材１６をカラー部材１５に外嵌させて構成してもよい。この場合、カラー部材１５を、弾性を有する樹脂材で形成して主管本体１１ａと保持管部材１６に圧入することにより、シール製を向上させることができる。また、カラー部材１５を、主管本体１１ａと同様の材料で形成して図１に示すような装着部１３として形成してもよい。
【００３１】
次に、上記のように構成された逆止弁１０を、施設内に設置された床排水構造に使用する。
【００３２】
図６に示すように、施設内の風呂場や便所内に設置された床面には、タイルＴが傾斜して敷設され、傾斜した最下位の位置に床排水トラップ１が配置されている。床排水トラップ１は、下端部で排水管３を接続する桝本体２と、桝本体２の上部に配置されて、排水を誘導する排水目皿４を支持する目皿受け５と、目皿受け５の高さ調節をする調節管６と、排水のトラップを形成するためのワン形トラップ７と、を備えている。ワン形トラップ７は一方が開口されたお椀形に形成されて、内部に逆止弁１０の支持端面１３２に当接可能なリブ７０１を複数形成している。
【００３３】
桝本体２は外壁２０１を形成するとともに、中央部に流路８を形成するための内壁２０２を形成する筒状に形成され、上部に目皿受け５を螺合する雌ネジ部２０３を形成するとともに、下部に、排水管３をネジ締結するためにテーパ雌ネジ２０４が形成されている。内壁２０２の上面２０２ａには、逆止弁１０の装着端面１３１が支持されている。また、排水目皿４には、排水を流すために複数の挿通溝４０１が形成されている。
【００３４】
逆止弁１０は、傾斜面部１１１を下方に向けた状態で桝本体２内に挿入される。逆止弁１０の装着端面１３１にシール剤１８を塗布し、シール剤１８を塗布した装着端面１３１を桝本体２の内壁２０２の上面２０２ａに載置する。
【００３５】
逆止弁１０を桝本体２内に挿入した状態で、逆止弁１０の上方から、ワン形トラップ７を、開口を下に向けた状態で桝本体２内に挿入する。ワン形トラップ７の内部に形成されたリブ７０１を逆止弁１０の支持端面１３２上に載置することにより、ワン形トラップ７が配置されることとなる。これにより床排水トラップ１が構成されることとなる。
【００３６】
この状態では、逆止弁１０の弁部１２は、軽量で形成されているため、自重により傾斜面部１１１から離隔することはなく主管体１１の傾斜面部１１１に密着されている。また、逆止弁１０と桝本体２とは、シール剤１８でシールされているから、下水管から流れてくる悪臭は遮られ、害虫が侵入することはない。
【００３７】
施設内の風呂場や便所の清掃により、床排水トラップ１に排水が流下すると、排水目皿４から流入した排水は、ワン形トラップ７の外側に向かって落下し、外壁２０１と内壁２０２との間を上昇して逆止弁１０の装着部１３側から下方に落下する。逆止弁１０の弁部１２は、排水の落下により、本体部１２１を、折返し部１２２との境目を中心にして傾斜面部１１１から離隔する方向に揺動させて弁を開く。逆止弁１０の弁が開くことによって落下した排水は排水管３を通って流下されることとなる。排水の流下が終了すると、逆止弁１０の弁部１２は、本体部１２１を、折返し部１２２との境目を中心にして傾斜面部１１１に向かって接近する方向に揺動させて弁を閉じる。
【００３８】
上述のように、実施形態の逆止弁１０は、弁部１２を薄板状のプラスチック材で形成するとともに弁部１２の一部を折り返して形成することにより、折返し部１２２に対して本体部１２１を弾性的に変形することができることから、変形した後に自らの付勢力で復帰できる。そのため、弁部１２の折返し部１２２を、主管体１１の溝部１１３に挿入することにより、弁体としての逆止弁１０を簡易な構成で廉価に製作することができる。そして、この逆止弁１０を使用して、床排水トラップ１として構成することにより、簡単な構成で、下水管からの悪臭を遮って、害虫の侵入を防止することができる。
【００３９】
なお、図７に示すように、本願考案の逆止弁１０に傾斜面部１１１を覆うような樹脂製の保護管部材１９を外嵌することにより、弁部１２を保護することができる。保護管部材１９を装着した逆止弁１０Ａを床排水トラップ１に装着すれば、この構成により、下水からの悪臭を遮ることができるとともに害虫の侵入を防止できるから、装着端面１３１にシール剤１８を塗布しなくてもよい。
【符号の説明】
【００４０】
１、床排水トラップ
２、桝本体
３、排水管
１０、逆止弁
１１、主管体（管体）
１１１、傾斜面部
１１２、水平面部
１１３、溝部
１２、弁部（可撓性弁部材）
１２１、本体部（弁本体部）
１２２、折返し部
１２３、熱溶着部
１３、装着部（支持管体）
１８、シール剤
【図１】
0003155258.tif 000003
【図２】
0003155258.tif 000004
【図３】
0003155258.tif 000005
【図４】
0003155258.tif 000006
【図５】
0003155258.tif 000007
【図６】
0003155258.tif 000008
【図７】
0003155258.tif 000009
【図８】
0003155258.tif 000010
【手続補正書】
【提出日】平成21年8月20日(2009.8.20)
【手続補正１】
【補正対象書類名】明細書
【補正対象項目名】００１２
【補正方法】変更
【補正の内容】
【００１２】
請求項６記載の考案は、請求項５記載の考案であって、前記装着面には、前記桝本体との間にシール剤が塗布されていることを特徴としている。